(57)【要約】【課題】マスク本体に取り付けたフィルターパッドが着用者の口元に接触しないようにして、蒸れることなく、呼吸も非常に良好に行え、会話も非常にし易く、メガネ使用者の着用時にメガネレンズが曇ることのないマスクを提供する。【解決手段】鼻と口を覆うフィルターパッド１と、このフィルターパッド１が内側に着脱自在に取り付けられるマスク本体２とからなり、前記フィルターパッド１は、着用者の鼻孔部及び口元に接触しないようにした立体形状とし、前記マスク本体２には、前記フィルターパッド１の取付部２ａを設けたものとしている。【選択図】    図７
2011139893.tif 000002
【特許請求の範囲】
【請求項１】
鼻と口を覆うフィルターパッド（１）と、このフィルターパッド（１）が内側に着脱自在に取り付けられるマスク本体（２）とからなり、前記フィルターパッド（１）は、着用者の鼻孔部及び口元に接触しないようにした立体形状とし、前記マスク本体（２）には、前記フィルターパッド（１）の取付部（２ａ）を設けたことを特徴とするマスク。
【請求項２】
前記フィルターパッド（１）には、両側端に出張り部（１ａ）を設けたものとし、前記マスク本体（２）には、取付部（２ａ）の両側端に装着体（２ｂ）を連設したものとし、これら装着体（２ｂ）の取付部（２ａ）側のそれぞれの基端部に挿入部（７）を設けたものとし、これら挿入部（７）に前記出張り部（１ａ）をそれぞれ挿脱自在としたことを特徴とする請求項１記載のマスク。
【請求項３】
前記フィルターパッド（１）には、両側端に出張り部（１ａ）を設けたものとし、前記マスク本体（２）には、取付部（２ａ）の両側端に装着体（２ｂ）を連設したものとし、これら装着体（２ｂ）の取付部（２ａ）側のそれぞれの基端部に掛け部（１０）を設けたものとし、これら掛け部（１０）に前記出張り部（１ａ）をそれぞれ掛脱自在としたことを特徴とする請求項１記載のマスク。
【請求項４】
前記フィルターパッド（１）の上端に、着用者の鼻背及び両頬上部への接触部材（４）を設けたことを特徴とする請求項１〜３の何れかに記載のマスク。
【請求項５】
前記マスク本体（２）の取付部（２ａ）の上端に、着用者の鼻背の形状に応じて、所定形状に折り曲げ自在とした保形部材（５）を設けたことを特徴とする請求項１〜４の何れかに記載のマスク。
【請求項６】
前記フィルターパッド（１）に排気弁（３）を設けたものとし、前記マスク本体（２）の取付部（２ａ）を通気性に富んだメッシュ生地で作成したことを特徴とする請求項１〜５の何れかに記載のマスク。
【請求項７】
前記マスク本体（２）の装着体（２ｂ）にヘルメット（Ｈ）への取付け用のストラップ（８）を設けたことを特徴とする請求項２〜６の何れかに記載のマスク。
【請求項８】
前記出張り部（１ａ）の基端部の上下に凹み（Ｄ）を設けたことを特徴とする請求項３記載のマスク。
【発明の詳細な説明】
【技術分野】
【０００１】
この発明は、ジョギング、サイクリング、スキーなどのアウトドアスポーツ時、オートバイ乗車時において、自動車の排気ガス、花粉、塵埃などによる呼吸器障害等を防止したり、寒冷地での寒冷気の侵入等を防止するのに適したマスクに関するものである。
【背景技術】
【０００２】
従来、この種のマスクとしては、例えば図１６に示したように、顔面から後頭部までを覆うようにした適宜幅の板状のマスク本体１１の中央部に鼻被覆部１２を形成し、この鼻被覆部１２に続く下方に口被覆部１３を形成し、前記マスク本体１１の両側部にはそれぞれ装着体１４を連設し、これら装着体１４にはそれぞれ両面接着テープなどの止着体１５を設けたものが存在する（特許文献１）。
【０００３】
前記マスクは、鼻被覆部１２と口被覆部１３との境界部に、鼻孔部を露出させるための横方向の切欠き部１６を形成している。そして、口被覆部１３には多数の通気用の小孔１７を穿設し、着用者の呼吸を良好にしたり、会話をし易くしたものとしている。
【０００４】
また、この種のマスクとしては、例えば図１７に示したように、鼻と口を覆うフィルターパッド２１と、このフィルターパッド２１が内側に面接着テープ２２で着脱自在に取り付けられ、両側部に装着体２３を連設したマスク本体２４からなるものが存在する（特許文献２）。
【０００５】
前記マスクは、マスク本体２４の鼻の下部分と口の部分に多数の小さい孔２５を設けたものとし、装着部２３に面接着テープ２６を設けたものとしている。そして、鼻の下部分と口の部分に設けた多数の小さい孔２５より、着用者の息が外に出るので、メガネのレンズ等が曇らないとしている。
【先行技術文献】
【特許文献】
【０００６】
【特許文献１】実開昭６０ー１６５４１１号公報
【特許文献２】特開平８−８０３５６号公報
【発明の概要】
【発明が解決しようとする課題】
【０００７】
しかしながら、特許文献１に記載されたマスクでは、マスク本体１１の鼻被覆部１２と口被覆部１３との境界部に、鼻孔部を露出させるための切欠き部１６を形成し、口被覆部１３に多数の通気用の小孔１７を穿設しているため、着用者の呼吸を良好にしたり、会話をし易くしたとしているものの、口被覆部１３に穿設した前記小孔１７は、マスク着用時には着用者の口元に接触するので、蒸れたり、また依然として呼吸は良好ではなく、会話もし辛いという問題点を有していた。
【０００８】
さらに、特許文献１に記載されたマスクでは、口被覆部１３に穿設した前記小孔１７がマスク着用時に着用者の口元に接触するので、口被覆部１３が汚れるが、この口被覆部１３は取り替えることができないので不衛生であるという問題点を有していた。
【０００９】
また、特許文献２に記載されたマスクにおいても、鼻の下部分と口の部分に多数の小さい孔２５を設けたため、メガネレンズ等が曇らないとしているものの、マスク本体２４の内側に取り付けられたフィルターパッド２１が着用者の口元に接触し、蒸れたり、呼吸が良好に行えなかったり、会話もし辛いという問題点を有していた。
【００１０】
さらに、特許文献２に記載されたマスクにおいては、フィルターパッド２１をマスク本体２４に面接着テープ２２で着脱自在に取り付けたものとしているため、このフィルターパッド２１が汚れたときには取り替えることができるが、面接着テープ２２は取り外し難く、着脱操作が困難であり、着用者の手に汚れが付着してしまうことがあり、衛生面にも劣るという問題点を有していた。
【００１１】
そこで、この発明は、上記従来の問題点を解決することをその課題としており、マスク本体に取り付けたフィルターパッドが着用者の口元に接触しないようにして、蒸れることなく、呼吸も非常に良好に行え、会話も非常にし易く、メガネ使用者の着用時にメガネレンズが曇ることのないマスクを提供することを目的としてなされたものである。
【００１２】
さらに、この発明は、フィルターパッドの取り替え時に、このフィルターパッドの取り替えが容易に行え、着用者の手に汚れが付着することがなく、衛生面においても優れたマスクを提供することを目的としてなされたものである。
【課題を解決するための手段】
【００１３】
そのため、この発明のマスクは、鼻と口を覆うフィルターパッド１と、このフィルターパッド１が内側に着脱自在に取り付けられるマスク本体２とからなり、前記フィルターパッド１は、着用者の鼻孔部及び口元に接触しないようにした立体形状とし、前記マスク本体２には、前記フィルターパッド１の取付部２ａを設けたものとしている。
【００１４】
そして、この発明のマスクは、前記フィルターパッド１には、両側端に出張り部１ａを設けたものとし、前記マスク本体２には、取付部２ａの両側端に装着体２ｂを連設したものとし、これら装着体２ｂの取付部２ａ側のそれぞれの基端部に挿入部７を設けたものとし、これら挿入部７に前記出張り部１ａをそれぞれ挿脱自在としたものとしている。
【００１５】
さらに、この発明のマスクは、前記フィルターパッド１には、両側端に出張り部１ａを設けたものとし、前記マスク本体２には、取付部２ａの両側端に装着体２ｂを連設したものとし、これら装着体２ｂの取付部２ａ側のそれぞれの基端部に掛け部１０を設けたものとし、これら掛け部１０に前記出張り部１ａをそれぞれ掛脱自在としたものとしている。
【００１６】
また、この発明のマスクは、前記フィルターパッド１の上端に、着用者の鼻背及び両頬上部への接触部材４を設けたものとしている。
【００１７】
さらに、この発明のマスクは、前記マスク本体２の取付部２ａの上端に、着用者の鼻背の形状に応じて、所定形状に折り曲げ自在とした保形部材５を設けたものとしている。
【００１８】
また、この発明のマスクは、前記フィルターパッド１に排気弁３を設けたものとし、前記マスク本体２の取付部２ａを通気性に富んだメッシュ生地で作成したものとしている。
【００１９】
さらに、この発明のマスクは、前記マスク本体２の装着体２ｂにヘルメットＨへの取付け用のストラップ８を設けたものとしている。
【００２０】
また、この発明のマスクは、前記出張り部１ａの基端部の上下に凹みＤを設けたものとしている。
【発明の効果】
【００２１】
この発明のマスクは、以上に述べたように構成されているので、マスク本体に取り付けたフィルターパッドが着用者の口元に接触しないようになり、着用者の口元が蒸れることなく、呼吸も非常に良好に行え、会話も非常にし易く、メガネ使用者の着用時にもメガネレンズが曇ることのないものとなった。
【００２２】
さらに、この発明のマスクは、フィルターパッドの取り替え時に、このフィルターパッドの取り替えが容易に行えるものとなり、着用者の手に汚れが付着することがなく、衛生面においても優れたものとなった。
【図面の簡単な説明】
【００２３】
【図１】この発明に係るマスクの一実施形態を示す側面図である。
【図２】図１に示すマスクに用いるフィルターパッドの側面図である。
【図３】図２に示すフィルターパッドの正面図である。
【図４】図２に示すフィルターパッドの背面図である。
【図５】図１に示すマスクのマスク本体の広げた状態の正面図である。
【図６】図１に示すマスクのマスク本体の広げた状態の背面図である。
【図７】図６に示すマスク本体にフィルターパッドを取り付ける状態の説明図である。
【図８】図１に示すマスクの使用状態を示す説明図である。
【図９】この発明に係るマスクの他の実施形態を示す正面寄りから見た状態の斜視図である。
【図１０】図９に示すマスクの背面寄りから見た状態の斜視図である。
【図１１】図９に示すマスクに用いるフィルターパッドの側面図である。
【図１２】図１１に示すフィルターパッドの正面図である。
【図１３】図１１に示すフィルターパッドの背面図である。
【図１４】図９に示すマスクのマスク本体を背面寄りから見た状態の斜視図である。
【図１５】図１４に示すマスク本体の装着体の耳掛け紐を拡大した斜視図である。
【図１６】従来のマスクの一例を示す斜視図である。
【図１７】従来のマスクの他の例を示す斜視図である。
【発明を実施するための形態】
【００２４】
以下、この発明のマスクを実施するための形態を、図面に基づいて詳細に説明する。
【００２５】
図１〜８は、この発明のマスクをサイクリングに使用するのに適したものとした一実施形態であって、サイクリング用のヘルメット装着時に着用し易くしたものとしており、鼻と口を覆うフィルターパッド１と、このフィルターパッド１が内側に着脱自在に取り付けられるマスク本体２とからなるものとしている。
【００２６】
前記フィルターパッド１は、着用者の鼻孔部及び口元に接触しないようにした立体形状とし、その両側端に出張り部１ａを設けたものとしている。図示したフィルターパッド１は、略円錐台形にしたカップ状の立体形状としているが、平坦な略円柱形にしたカップ状の立体形状など、任意の立体形状として実施することができる。なお、この立体形状としたフィルターパッド１の正面１ｂの略中央部には、排気弁３を設けたものとしている。
【００２７】
そして、前記フィルターパッド１は、例えば、外側体、中間体及び内側体の三層構造をしており、外側体と内側体は不織布からなり、中間体は活性炭入りフィルターからなるものとしている。前記フィルターパッド１の出張り部１ａは、例えば図示したような、縦長の略四角片状に形成しているが、着用者が指で摘みやすい形状、大きさであれば、どのような形状でもよい。なお、このフィルターパッド１の出張り部１ａは、活性炭入りフィルターの中間体は無くしてもよく、外側体及び内側体の二層構造にしてもよい。
【００２８】
さらに、前記フィルターパッド１の上端には、着用者の鼻背及び両頬上部への接触部材４を設けたものとしている。この接触部材４は、図示したような弾性変形可能なフラップ片としており、着用者の鼻背及び両頬上部に押し付けられて変形すると共に可動して、鼻背及び両頬上部とフィルターパッド１との間に生じる隙間を無くすようにしているが、この隙間を無くすようにするものであれば、前記した弾性変形可能なフラップ片に限られることはない。
【００２９】
前記マスク本体２は、合成樹脂などの布地からなるものとしており、前記フィルターパッド１の取付部２ａを設けたものとし、この取付部２ａの両側端に装着体２ｂを連設したものとしている。取付部２ａは、通気性に富んだメッシュ生地でカップ状に作成したものとしており、立体形状としたフィルターパッド１に沿うように形成している。また、取付部２ａの上端には、着用者の鼻背の形状に応じて、所定形状に折り曲げ自在とした保形部材５を設けたものとしている。この保形部材５は、針金や金属板、形状記憶樹脂などからなり、着用者の鼻背と取付部２ａとの間に生じる隙間を無くすようにしているが、折り曲げた状態でその形状を維持可能なものであれば、針金や形状記憶樹脂に限られることはない。
【００３０】
そして、前記マスク本体２の装着体２ｂは、ベルト状に形成しており、中間部を通気性に富むようにメッシュにし、取付部２ａと反対側のそれぞれの外端部には面接着テープなどの止着体６を設けている。また、前記装着体２ｂの取付部２ａ側のそれぞれの基端部には挿入部７を設け、これら挿入部７に前記フィルターパッド１の出張り部１ａをそれぞれ挿脱自在としたものとしている。これらの挿入部７は、ポケット状としており、開口７ａが取付部２ａの両側部に位置するようにしている。なお、前記挿入部７は、出張り部１ａを余裕をもって挿入できる大きさにし、この出張り部１ａを挿入し易くしているが、出張り部１ａを丁度、挿入できる大きさにしても、出張り部１ａを無理に押し込んで挿入できる大きさにしてもよい。
【００３１】
さらに、前記マスク本体２は、装着体２ｂにヘルメットＨへの取付け用のストラップ８を設けたものとしている。このストラップ８は、両端に面接着テープなどの止着体９を設けたベルト状に形成しており、装着体２ｂに巻き付けられている。
【００３２】
図９〜１５は、この発明のマスクを防塵用に使用するのに適したものとした他の実施形態であって、サイクリング用に使用するのに適したものと同様に、鼻と口を覆うフィルターパッド１と、このフィルターパッド１が内側に着脱自在に取り付けられるマスク本体２とからなるものとしている。
【００３３】
前記フィルターパッド１は、着用者の鼻孔部及び口元に接触しないようにした立体形状とし、その両側端に出張り部１ａを設けたものとしている。さらに、前記出張り部１ａの基端部の上下には、凹みＤを設けたものとしている。図示したフィルターパッド１は、略円錐形にしたカップ状の立体形状としているが、平坦な略円柱形にしたカップ状の立体形状など、任意の立体形状として実施することができる。なお、この立体形状としたフィルターパッド１の正面１ｂの略中央部には、排気弁３を設けたものとしている。
【００３４】
そして、前記フィルターパッド１は、例えば、外側体、中間体及び内側体の三層構造をしており、外側体と内側体は不織布からなり、中間体は活性炭入りフィルターからなるものとしている。前記フィルターパッド１の出張り部１ａは、例えば図示したような、略縦長円状に形成しているが、着用者が指で摘みやすい形状、大きさであれば、どのような形状でもよい。なお、このフィルターパッド１の出張り部１ａは、活性炭入りフィルターの中間体は無くしてもよく、外側体及び内側体の二層構造にしてもよい。
【００３５】
さらに、前記フィルターパッド１の上端には、着用者の鼻背及び両頬上部への接触部材４を設けたものとしている。この接触部材４は、図示したような弾性変形可能なフラップ片としており、着用者の鼻背及び両頬上部に押し付けられて変形すると共に可動して、鼻背及び両頬上部とフィルターパッド１との間に生じる隙間を無くすようにしているが、この隙間を無くすようにするものであれば、前記した弾性変形可能なフラップ片に限られることはない。
【００３６】
また、前記フィルターパッド１の上端部には、着用者の鼻背の形状に応じて、所定形状に折り曲げ自在とした保形部材５を設けたものとしている。この保形部材５は、針金や金属板、形状記憶樹脂などからなり、前記接触部材４と共に着用者の鼻背とフィルターパッド１との間に生じる隙間を無くすようにしているが、折り曲げた状態でその形状を維持可能なものであれば、針金や形状記憶樹脂に限られることはない。
【００３７】
前記マスク本体２は、合成樹脂などの布地からなるものとしており、前記フィルターパッド１の取付部２ａを設けたものとし、この取付部２ａの両側端に装着体２ｂを連設したものとしている。取付部２ａは、通気性に富んだ伸縮自在のメッシュ生地で作成したものとしており、略中央には排気弁３の保持孔ｈを設け、立体形状としたフィルターパッド１に沿うようにしている。また、取付部２ａおよび装着体２ｂの前方は、外カバー２ｃで覆うようにしており、さらにこの外カバー２ｃは、使用者の顎や首元を覆うように、取付部２ａおよび装着体２ｂの下方に垂れ下げられている。
【００３８】
そして、前記マスク本体２の装着体２ｂは、輪状とした耳掛け紐Ｓａを取り付けたものとしており、この耳掛け紐Ｓａをゴム紐などの伸縮性を有する材料からなるものとしている。この装着体２の耳掛け紐Ｓａは、必要に応じて、両方の耳掛け紐Ｓａどうしを引き寄せると共に使用者の首の後部を押さえ付けておくようにした補助紐Ｓｂを取り付けたものとしている。なお、補助紐Ｓｂは、それぞれの端部にバックルＢなどを設けて互いに連結できるようにすると共に、長さ調節自在にしている。
【００３９】
また、前記装着体２ｂの取付部２ａ側のそれぞれの基端部に掛け部１０を設け、これら掛け部１０に前記フィルターパッド１の出張り部１ａをそれぞれ掛脱自在としたものとしている。これらの掛け部１０は、上下方向に配した伸縮性または非伸縮性の紐状体などとして掛け孔Ｏが形成されるものとしており、この掛け孔Ｏの縦長Ｌを前記出張り部１ａの基端部の上下に設けた凹みＤ間の距離ｄと同じにするか、少し大きくしたものとして、これらの凹みＤから抜け難くなるようにしている。なお、前記掛け部１０を伸縮性の紐状体とした場合は、前記掛け孔Ｏの縦長Ｌを前記凹みＤ間の距離ｄよりも小さくしたものとすることもできる。
【００４０】
この発明のマスクは、以上のように構成しているので、マスク着用時に、着用者の鼻孔部及び口元はフィルターパッド１の立体形状内に位置し、このフィルターパッド１に接触せず、さらにフィルターパッド１には排気弁３を設けたものとしているので、着用者の口元が蒸れることなく、呼吸も非常に良好に行え、会話も非常にし易くなる。
【００４１】
そして、この発明のマスクは、フィルターパッド１の上端に設けられた接触部材４や保形部材５によって、着用者の鼻背及び両頬上部とフィルターパッド１との間に生じる隙間を無くすようにし、さらにマスク本体２の取付部２ａの上端に設けられた保形部材５によっても、着用者の鼻背と取付部２ａとの間に生じる隙間を無くすようにしているので、メガネ使用者の着用時にもメガネレンズが曇ることのないものとなる。
【００４２】
さらに、この発明のマスクは、フィルターパッド１をマスク本体２に取り付ける場合には、マスク本体２の取付部２ａに、フィルターパッド１を入り込ませ、このフィルターパッド１の出張り部１ａを、マスク本体２の挿入部７にそれぞれの開口７ａから挿入したり、マスク本体２の掛け部１０に掛けておけば、フィルターパッド１が取付部２ａからずれないようになる。
【００４３】
また、この発明のマスクを使用して、フィルターパッド１が汚れた場合には、マスク本体２の挿入部７の開口７ａから指を差し込んで、フィルターパッド１の出張り部１ａを摘んで引き出したり、マスク本体２の掛け部１０を指で摘み上げて、この掛け部１０からフィルターパッド１の出張り部１ａを外せば、このフィルターパッド１をマスク本体２の取付部２ａから簡単に取り出せるので、このフィルターパッド１の取り替えが容易に行えるものなり、着用者の手にも汚れが付着することがないものとなる。
【００４４】
さらに、この発明のマスクは、マスク本体２の装着体２ｂにヘルメットＨへの取付け用のストラップ８を設けたものとした場合には、図８に示したように、マスク本体２の装着体２ｂと一緒にしてヘルメットＨの装着ベルトＢに巻き付けておけば、マスクのずれも防止することができる。
【００４５】
また、この発明のマスクは、マスク本体２の装着体２ｂを輪状とした耳掛け紐Ｓａを取り付けたものとし、この耳掛け紐Ｓａに補助紐Ｓｂを取り付けたものとした場合には、耳掛け紐Ｓａが使用者の耳から非常にずれ難いものとなり、マスクのずれも防止することができる。
【符号の説明】
【００４６】
１フィルターパッド
１ａ  出張り部
２マスク本体
２ａ  取付部
２ｂ  装着体
３  排気弁
４  接触部材
５  保形部材
７  挿入部
８  ストラップ
１０  掛け部
Ｄ  凹み
Ｈ  ヘルメット
【図１】
2011139893.tif 000003
【図２】
2011139893.tif 000004
【図３】
2011139893.tif 000005
【図４】
2011139893.tif 000006
【図５】
2011139893.tif 000007
【図６】
2011139893.tif 000008
【図７】
2011139893.tif 000009
【図８】
2011139893.tif 000010
【図９】
2011139893.tif 000011
【図１０】
2011139893.tif 000012
【図１１】
2011139893.tif 000013
【図１２】
2011139893.tif 000014
【図１３】
2011139893.tif 000015
【図１４】
2011139893.tif 000016
【図１５】
2011139893.tif 000017
【図１６】
2011139893.tif 000018
【図１７】
2011139893.tif 000019